(57)【特許請求の範囲】
【請求項１】
第１方向に並べて配置された複数枚の第１列パネルと、
前記第１方向に直交する第２方向の位置で前記複数枚の第１列パネルに隣接し、前記第１方向に並べて配置された複数枚の第２列パネルと、
前記複数枚の第１列パネルの前記第１方向で隣接するパネル縁部同士を、折り畳み且つ展開可能に連結する第1連結部材と、
前記複数枚の第２列パネルの前記第１方向で隣接するパネル縁部同士を、折り畳み且つ展開可能に連結する第２連結部材と、
前記第２方向に隣接する前記第１列パネル及び前記第２列パネルのパネル縁部同士を、折り畳み且つ展開可能に連結する第３連結部材と、
前記第２方向に隣接する前記第１列パネル及び前記第２列パネルの一方にスライド自在に配置され、前記第１列パネル及び前記第２列パネルに跨がって配置されることで前記第１列パネル及び前記第２列パネルの展開状態を保持する展開保持部材と、を備え、
前記展開保持部材は、基部から互いに接する方向に延在する一対の保持板を備え、前記一対の保持板が、前記第１列パネル及び前記第２列パネルの少なくとも一方の縁部を弾性変形しながら挟持することを特徴とする携帯型パーテーション。
【請求項２】
前記第１連結部材、前記第２連結部材及び第３連結部材は、隣接する前記パネル縁部同士の一方を挟持する第１挟持部と、他方を挟持する第２挟持部と、前記第１挟持部及び前記第２挟持部を折り畳み方向及び展開方向に回動自在に支持する回動支持部と、を備えていることを特徴とする請求項１記載の携帯型パーテーション。
【請求項３】
前記第１列パネル、前記第２列パネル、前記第１連結部材、前記第２連結部材、第３連結部材及び前記展開保持部材は、光透過性を有する材料により形成されていることを特徴とする請求項１又は２に記載の携帯型パーテーション。
【発明の詳細な説明】
【技術分野】
【０００１】
本発明は、折り畳んで持ち運び可能な携帯型パーテーションに関する。
【背景技術】
【０００２】
昨今のコロナ禍の影響を受け、オフィス・会議室や窓口業務を行なう受付、食堂・飲食店や学校などの様々な場所では、飛沫防止用のパーテーションの設置が推奨され、設置されるようになってきている。
【０００３】
通常のパーテーションは、据え置き設置型が多いが、移動先で簡易的にパーテーションを設置する、という需要も出てきている。
【０００４】
このような需要に対して、折り畳んで持ち運び可能なパーテーションが知られている（例えば、特許文献１）。
【先行技術文献】
【特許文献】
【０００５】
【特許文献１】実用新案登録第3228555号公報
【発明の概要】
【発明が解決しようとする課題】
【０００６】
特許文献１のパーテーションは、全面板と、全面板の左右方向に連接する一対の側板の３枚の板で構成され、全面板に一対の側板を重ねて折り畳むことで持ち運びに便利である。しかし、特許文献１のパーテーションは、テーブルなどに設置する際にパーテーション高さが低いので、飛沫防止効果が低いという問題がある。
【０００７】
本発明は、上記事情に鑑みてなされたものであり、コンパクトに折り畳んで持ち運びが便利であるとともに、パーテーション高さが高くなり飛沫防止効果を十分に高めることができる携帯型パーテーションを提供することを目的とする。
【課題を解決するための手段】
【０００８】
課題を解決するために、本発明に係る携帯型パーテーションは、第１方向に並べて配置された複数枚の第１列パネルと、第１方向に直交する第２方向の位置で複数枚の第１列パネルに隣接し、第１方向に並べて配置された複数枚の第２列パネルと、複数枚の第１列パネルの第１方向で隣接するパネル縁部同士を、折り畳み且つ展開可能に連結する第1連結部材と、複数枚の第２列パネルの第１方向で隣接するパネル縁部同士を、折り畳み且つ展開可能に連結する第２連結部材と、第２方向に隣接する第１列パネル及び第２列パネルのパネル縁部同士を、折り畳み且つ展開可能に連結する第３連結部材と、第２方向に隣接する第１列パネル及び第２列パネルの一方にスライド自在に配置され、第１列パネル及び第２列パネルに跨がって配置されることで第１列パネル及び第２列パネルの展開状態を保持する展開保持部材と、を備え、展開保持部材は、基部から互いに接する方向に延在する一対の保持板を備え、一対の保持板が、第１列パネル及び前記第２列パネルの少なくとも一方の縁部を弾性変形しながら挟持している。
【発明の効果】
【０００９】
本発明に係る携帯型パーテーションは、コンパクトに折り畳んで持ち運びが便利であるとともに、パーテーション高さが高くなり飛沫防止効果を十分に高めることができる。
【図面の簡単な説明】
【００１０】
【図１】本発明に係る第１実施形態の携帯型パーテーションを平面に展開した状態を示した図である。
【図２】第１実施形態の携帯型パーテーションにおいて隣接するパネル同士を連結する第１連結部材の構造を示す図である。
【図３】第１実施形態の携帯型パーテーションにおいて第１列パネルと第２列パネルの展開状態を保持する第１展開保持部材を示す図である。
【図４】第１実施形態の携帯型パーテーションを自立設置した状態を示す図である。
【図５】第１実施形態の携帯型パーテーションを折り畳んだ状態を示す図である。
【図６】本発明に係る第２実施形態の携帯型パーテーションを自立設置した状態を示す図である。
【発明を実施するための形態】
【００１１】
次に、本発明に係る実施形態について図面を参照して説明する。
【００１２】
図１は、本発明に係る第１実施形態の携帯型パーテーション（以下、単にパーテーションと称する）１を平面に展開した状態を示している。
【００１３】
本実施形態のパーテーション１は、Ａ４版（長辺２９７mm×短辺２１０mm）の６枚のパネル２ａ〜２ｆを構成部材としている。
【００１４】
６枚のパネルは、第１方向Ｌ１に互いの長辺同士を隣接させて並んで配置した３枚の第１列パネル２ａ，２ｂ、２ｃと、第１方向Ｌ１に直交する第２方向Ｌ２の位置で３枚の第１列パネル２ａ，２ｂ、２ｃと短辺同士が隣接し、第１方向Ｌ１に互いの長辺同士を隣接させて並んで配置した第２列パネル２ｄ，２ｅ、２ｆと、で構成されている。
【００１５】
第１列パネル２ａ，２ｂ、２ｃの隣接する長辺同士に、長辺方向に互いに離間して一対の第１連結部材３が連結されており、これら第１連結部材３を介して第１列パネル２ａ，２ｂ、２ｃが折り畳み且つ展開自在に配置されている。
【００１６】
また、第２列パネル２ｄ，２ｅ、２ｆの隣接する長辺同士にも、長辺方向に互いに離間して一対の第２連結部材４が連結されており、これら第２連結部材４を介して第２列パネル２ｄ，２ｅ、２ｆが折り畳み且つ展開自在に配置されている。
【００１７】
また、第１列パネル２ｂと第２列パネル２ｅの隣接する短辺同士に、短辺方向に互いに離間して一対の第３連結部材５が連結されており、これら第３連結部材５を介して第１列パネル２ｂと第２列パネル２ｅが折り畳み且つ展開自在に配置されている。
【００１８】
また、第２列パネル２ｄの端部側長辺（隣接するパネルが存在しない長辺）には、第２方向Ｌ２に移動自在とされ、第２列パネル２ｄ及び第１列パネル２ａの展開状態を保持する第１展開保持部材６が配置されている。
【００１９】
さらに、第１列パネル２ｃの端部側長辺（隣接するパネルが存在しない長辺）にも、第２方向Ｌ２に移動自在とされ、第１列パネル２ｃ及び第２列パネル２ｆの展開状態を保持する第２展開保持部材７が配置されている。
［パネル２ａ〜２ｆ］
【００２０】
６枚のパネル２ａ〜２ｆ（第１列パネル２ａ，２ｂ、２ｃ、第２列パネル２ｄ，２ｅ、２ｆ）は、光透過性を有する塩化ビニル、ポリカーボネート、ポリエチレンテレフタレート、アクリル等の合成樹脂板で形成され、厚さが0.5mm〜5.0mm程度の板材である。そして、展開状態でのパーテーションとしての機能や折り畳んだ際の収まり等を考慮すると、パネルサイズをＡ４版とすることが望ましい。ここで、パネル２ａ〜２ｆの表面に抗菌・抗ウイルス処理、帯電防止処理や防炎処理等を施しても良い。
［第１〜第３連結部材３、４、５］
【００２１】
図２（ａ）は、第１列パネル２ａ、２ｂを連結する第１連結部材３を示している。また、図２（ｂ）は図２（ａ）のII−II線矢視を示しており、第１連結部材３は、第１列パネル２ａの長辺縁部を挟持する第１挟持部３ａと、第１列パネル２ｂの長辺縁部を挟持する第２挟持部３ｂと、第１及び第２挟持部３ａ，３ｂを回動自在に支持する回動支持部３ｃと、を備えている。
【００２２】
第１挟持部３ａは硬質塩化ビニルで形成され、基部３ａ３から一対の挟持板３ａ１、３ａ２が平行に延在しており、一対の挟持板３ａ１、３ａ２が弾性変形しながら第１列パネル２ａの長辺縁部を挟持している。また、第２挟持部３ｂも硬質塩化ビニルで形成され、基部３ｂ３から一対の挟持板３ｂ１、３ｂ２が平行に延在しており、一対の挟持板３ｂ１、３ｂ２が弾性変形しながら第１列パネル２ｂの長辺縁部を挟持している。
【００２３】
また、回動支持部３ｃは、第１挟持部３ａの基部３ａ３及び第２挟持部３ｂの基部３ｂ３の間で連結している軟質塩化ビニルで形成されている。
【００２４】
そして、図２（ｃ）に示すように、第１列パネル２ａ、２ｂが折り畳まれる方向に移動すると、第１連結部材３の回動支持部３ｃが弾性変形しながら第１挟持部３ａ及び第２挟持部３ｂが重なる。また、図２（ｄ）に示すように、第１列パネル２ａ、２ｂが展開する方向に移動すると、第１連結部材３の回動支持部３ｃが弾性復帰していきながら第１挟持部３ａ及び第２挟持部３ｂが離間していく。
【００２５】
ここで、第１連結部材３を構成する第１及び第２挟持部３ａ，３ｂ及び回動支持部３ｃは、光透過性を有する。なお、第１及び第２挟持部３ａ，３ｂ及び回動支持部３ｃは、光透過性を有する他の合成樹脂材料で形成されていてもよい。
【００２６】
また、例えば第２列パネル２ｄ，２ｅを連結している第２連結部材４、或いは第１列パネル２ｂ及び第２列パネル２ｅを連結している第３連結部材５も、第１連結部材３と同様の構造とされている。
［第１及び第２展開保持部材６，７］
【００２７】
第１展開保持部材６は、図３（ａ）に示すように、基部６ｃから一対の保持板６ａ、６ｂが互いに接する方向に延在した部材であり、図３（ｂ）に示すように、一対の保持板６ａ、６ｂが弾性変形しながら第２列パネル２ｄの長辺縁部を挟持している。この第１展開保持部材６の長さは、図１に示すように、第２列パネル２ｄの長辺より短い長さに設定されている。
【００２８】
第２展開保持部材７も、第１展開保持部材６と同一構成で第１列パネル２ｃの長辺縁部を挟持しており、図１に示すように、第１列パネル２ｃの長辺より短い長さに設定されている。
【００２９】
そして、第１展開保持部材６及び第２展開保持部材７は、光透過性を有する塩化ビニル、アクリル樹脂で形成されている。
［パーテーション１の組立て手順］
【００３０】
次に、第１実施形態のパーテーション１を自立設置する手順について説明する。
【００３１】
先ず、第１列パネル２ａ及び第２列パネル２ｄを同一平面に配置した状態で、第１列パネル２ａ及び第２列パネル２ｄの長辺に跨がるように第１展開保持部６をスライド移動させる。
【００３２】
また、第１列パネル２ｃ及び第２列パネル２ｆを同一平面に配置した状態で、第１列パネル２ｃ及び第２列パネル２ｆの長辺に跨がるように第２展開保持部材７をスライド移動させる。
【００３３】
第１展開保持部材６が第１列パネル２ａ及び第２列パネル２ｄの長辺に跨がって配置されることで、第１列パネル２ａ及び第２列パネル２ｄの展開状態が確実に保持される。そして、第１列パネル２ａ及び第２列パネル２ｄは、第１連結部材３及び第２連結部材４を介して第１列パネル２ｂ，第２列パネル２ｅ側への折り畳みが可能となる。
【００３４】
また、第２展開保持部材７が第１列パネル２ｃ及び第２列パネル２ｆの長辺に跨がって配置されていることで、第１列パネル２ｃ及び第２列パネル２ｆの展開状態が確実に保持される。そして、第１列パネル２ｃ及び第２列パネル２ｆは、第１連結部材３及び第２連結部材４を介して第１列パネル２ｂ，第２列パネル２ｅ側への折り畳みが可能となる。
【００３５】
そして、図４に示すように、第１列パネル２ａ，２ｂ，２ｃを脚部材として、第１列パネル２ａ及び第２列パネル２ｄと、第１列パネル２ｃ及び第２列パネル２ｆとが対向するようにコの字型に配置する。これにより、パーテーション１として自立設置される。
［パーテーション１の折り畳み手順］
【００３６】
次に、自立設置している第１実施形態のパーテーション１を折り畳む手順について、図５を参照して説明する。
【００３７】
先ず、第１列パネル２ａ及び第２列パネル２ｄの長辺に跨がっていた第１展開保持部材６を第２列パネル２ｄの長辺にスライド移動させる。また、第１列パネル２ｃ及び第２列パネル２ｆの長辺に跨がっていた第２展開保持部材７を第１列パネル２ｃの長辺にスライド移動させる。
【００３８】
次いで、図５矢印Ａに示すように、第２連結部材４を介して第２列パネル２ｄを第２列パネル２ｅに折り畳み、次いで、図５矢印Ｂに示すように、第２連結部材４を介して第２列パネル２ｆを第２列パネル２ｅに折り畳む。
【００３９】
次いで、図５矢印Ｃに示すように、第１連結部材３を介して第１列パネル２ａを第１列パネル２ｂに折り畳み、次いで、図５矢印Ｄに示すように、第１連結部材３を介して第１列パネル２ｃを第１列パネル２ｂに折り畳む。
【００４０】
さらに、図５矢印Ｅに示すように、第３連結部材５を介して第２列パネル２ｅ（第２列パネル２ｄ，２ｆも重なっている）を、第１列パネル２ｂ（第１列パネル２ａ，２ｃも重なっている）に折り畳む。
【００４１】
これにより、パーテーション１は、第１列パネル２ｂの形状、すなわちＡ４版の大きさで折り畳められる。
［パーテーション１の作用効果］
【００４２】
次に、本実施形態のパーテーション１の作用効果について説明する。
【００４３】
本実施形態のパーテーション１は、テーブルなどにコの字型に自立設置することで、３枚の第１列パネル２ａ，２ｂ、２ｃの上縁（短辺）に、第２列パネル２ｄ，２ｅ、２ｆが立ち上がっているので、パーテーション高さを高く設定することができ、飛沫防止効果を確実に高めることができる。
【００４４】
また、６枚のパネル２ａ〜２ｆの縁部は、折り畳み且つ展開自在な第１〜第３連結部材を介して連結されているので、１枚のパネル２ｂの大きさまでコンパクトに折り畳むことができる、持ち運びに便利なパーテーション１を提供することができる。
【００４５】
また、第２列パネル２ｄ（或いは第１列パネル２ａ）の隣接するパネルが存在しない長辺に第１展開保持部材６をスライド自在に配置し、第１列パネル２ｃ（或いは第２列パネル２ｆ）の隣接するパネルが存在しない長辺に第２展開保持部材７をスライド自在に配置することで、第１列パネル２ａ及び第２列パネル２ｄの展開状態の保持、第１列パネル２ｃ及び第２列パネル２ｆの展開状態の保持を簡便な構造で行うことができる。
【００４６】
さらに、第１列パネル２ａ，２ｂ、２ｃ、第２列パネル２ｄ，２ｅ、２ｆ、第１〜第３連結部材３，４，５及び第１展開保持部材６及び第２展開保持部材７は、光透過性を有する樹脂部材で形成されているので、パーテーション１を自立設置した場合のクリアな視界を確保することができる。
［パーテーションの変形例］
【００４７】
次に、図６は、本発明に係る第２実施形態のパーテーション１０を示すものである。
【００４８】
この実施形態のパーテーション１０は、第１列パネル２ｂの下部に切り欠き１１が設けられている。この切り欠き１１は、パーテーション１０をテーブルに自立設置したときに、ＰＣの配線や充電コード用や、書類の受渡し等のスペースとして利用することができる。
【００４９】
なお、ＰＣの配線や充電コード用、書類の受渡し等のスペースとしては、図６で示した第１列パネル２ｂに設けた切り欠き１１に限らず、四角穴や丸穴を形成してもよい。或いは、第１列パネル２ｂを隣接する第１列パネル２ａ，２ｃに対して形状の小さなサイズ（Ａ５版）としてスペースも設ける場合も考えられる。
【００５０】
また、上述した実施形態では、６枚のパネル（３枚の第１列パネル２ａ，２ｂ、２ｃと、３枚の第２列パネル２ｄ，２ｅ、２ｆ）でパーテーション１、１０を構成したが、１列を４枚以上のパネルで構成し、第３列以上のパネルを配置したパーテーションであっても、同様の作用効果を奏することができる。
【００５１】
また、上述した実施形態では、Ａ４のパネルでパーテーションを構成したが、Ｂ４版などさらに形状の大きなパネルでパーテーションを形成してもよい。
【００５２】
さらに、図２で示した第１連結部材３、図３で示した第１展開保持部材６は一例であり、合成樹脂製の光透過性を有する他の構造であっても、同様の作用効果を奏することができる。
【符号の説明】
【００５３】
１  パーテーション
２ａ，２ｂ、２ｃ  第１列パネル
２ｄ，２ｅ、２ｆ  第２列パネル
３  第１連結部材
３ａ  第１挟持部
３ａ１、３ａ２  挟持板
３ａ３  基部
３ｂ  第２挟持部
３ｂ１、３ｂ２  挟持板
３ｂ３  基部
３ｃ  回動支持部
４  第２連結部材
５  第３連結部材
６  第１展開保持部材
６ａ、６ｂ  保持板
６ｃ  基部
７  第２展開保持部材
１０  パーテーション
１１  切り欠き
Ｌ１  第１方向
Ｌ２  第２方向
【要約】
【課題】コンパクトに折り畳んで持ち運びが便利であるとともに、パーテーション高さが高くなり飛沫防止効果を十分に高めることができる携帯型パーテーションを提供する。
【解決手段】第１方向Ｌ１に並べて配置された複数枚の第１列パネル２ａ，２ｂ，２ｃと、第１方向に並べて配置された複数枚の第２列パネル２ｄ，２ｅ，２ｆと、複数枚の第１列パネルの第１方向で隣接するパネル縁部同士を連結する第1連結部材３と、複数枚の第２列パネルの第１方向で隣接するパネル縁部同士を連結する第２連結部材４と、第２方向に隣接する第１列パネル及び第２列パネルのパネル縁部同士を連結する第３連結部材５と、第２方向に隣接する第１列パネル及び第２列パネルの一方にスライド自在に配置され、第１列パネル及び第２列パネルに跨がって配置されることで第１列パネル及び第２列パネルの展開状態を保持する展開保持部材６，７と、を備えている。
【選択図】図１【図１】
0006947324.tif 000002
【図２】
0006947324.tif 000003
【図３】
0006947324.tif 000004
【図４】
0006947324.tif 000005
【図５】
0006947324.tif 000006
【図６】
0006947324.tif 000007